(57)【要約】【課題】コンテンツ再生動作の不測の停止後の再起動時における続き再生を行う「コンテンツ再生装置」を提供する。【解決手段】ユーザのスキップ操作等によってＣＤの再生位置が変化したならば、制御部１０４は、現在時刻を基準時刻として、変化後の再生位置と共にフラッシュメモリ１０１に登録する。電源の電圧降下によってリセットが発生し、コンテンツ再生装置１が起動したならば、現在時刻とフラッシュメモリ１０１に記憶されている基準時刻とから、基準時刻からリセット発生時刻までの経過時間を推定し、推定した経過時間分、フラッシュメモリ１０１に登録されている再生位置から進めた位置を、再生を開始する再生位置としてＣＤの再生を開始する。【選択図】図１
2016225005.tif 000002
【特許請求の範囲】
【請求項１】
記録装置に記録されたオーディオコンテンツまたはビデオコンテンツである記録コンテンツを再生するコンテンツ再生装置であって、
基準時刻と基準再生位置とを表す継続再生用情報を格納した不揮発性記録媒体と、
前記記録コンテンツを再生するコンテンツ再生手段と、
ユーザ操作を受け付け、受け付けたユーザ操作に応じて前記コンテンツ再生手段の前記記録コンテンツの再生動作を制御する再生動作制御手段と、
前記コンテンツ再生手段が前記記録コンテンツの再生の開始を行うときに、前記不揮発性記録媒体に格納されている継続再生用情報を、前記基準時刻に現在時刻を設定し、前記基準再生位置に、開始した再生において再生開始位置となる再生位置を設定した新たな継続再生用情報で更新する更新手段と、
当該コンテンツ再生装置の再起動後に、前記不揮発性記録媒体に格納されている継続再生用情報の基準時刻から現在時刻までの経過時間に基づいて、当該基準時刻から当該コンテンツ再生装置のリセットの発生までの間の時間をリセット前再生動作継続時間として推定し、前記不揮発性記録媒体に格納されている継続再生用情報の基準再生位置から前記リセット前再生動作継続時間分、再生時刻を進めた再生位置から、前記コンテンツ再生手段に前記記録コンテンツの再生を開始させる継続再生制御手段とを有することを特徴とするコンテンツ再生装置。
【請求項２】
請求項１記載のコンテンツ再生装置であって、
前記記録コンテンツの再生の開始には、前記記録コンテンツの再生停止状態からの再生の開始と、前記記録コンテンツの再生の一時停止状態からの再生の再開と、再生位置をスキップした上での前記記録コンテンツの再生の開始とが少なくとも該当することを特徴とするコンテンツ再生装置。
【請求項３】
記録装置に記録されたオーディオコンテンツまたはビデオコンテンツである記録コンテンツを再生するコンテンツ再生装置であって、
基準時刻と基準再生位置と再生動作種別を表す継続再生用情報を格納した不揮発性記録媒体と、
前記記録コンテンツを再生するコンテンツ再生手段と、
ユーザ操作を受け付け、受け付けたユーザ操作に応じて前記コンテンツ再生手段の前記記録コンテンツの再生動作を制御する再生動作制御手段と、
前記再生動作制御手段が前記記録コンテンツの再生動作を変更するときに、前記不揮発性記録媒体に格納されている継続再生用情報を、前記基準時刻に現在時刻を設定し、前記基準再生位置に前記変更した後の再生動作による再生において再生開始位置となる再生位置を設定し、前記再生動作種別に前記変更した後の再生動作の種別を設定した新たな継続再生用情報で更新する更新手段と、
当該コンテンツ再生装置の再起動後に、前記不揮発性記録媒体に格納されている継続再生用情報の基準時刻から現在時刻までの経過時間に基づいて、当該基準時刻から当該コンテンツ再生装置のリセットの発生までの間の時間をリセット前再生動作継続時間として推定し、前記不揮発性記録媒体に格納されている継続再生用情報の基準再生位置から前記リセット前再生動作継続時間分、前記不揮発性記録媒体に格納されている継続再生用情報の再生動作種別が示す再生動作を行った場合に当該再生動作による再生の対象となる再生位置から、前記不揮発性記録媒体に格納されている継続再生用情報の再生動作種別が示す再生動作を、前記コンテンツ再生手段に開始させる継続再生制御手段とを有することを特徴とするコンテンツ再生装置。
【請求項４】
請求項３記載のコンテンツ再生装置であって、
前記再生動作の種別には、前記記録コンテンツの再生を行う再生動作の種別と、前記記録コンテンツの早送り再生を行う再生動作の種別と、前記記録コンテンツの早戻し再生を行う再生動作の種別とが含まれることを特徴とするコンテンツ再生装置。
【請求項５】
請求項１、２、３または４記載のコンテンツ再生装置であって、
当該コンテンツ再生装置の電源の電圧降下を検出して、当該コンテンツ再生装置をリセットし再起動するリセット手段を有することを特徴とするコンテンツ再生装置。
【請求項６】
請求項１、２、３、４または５記載のコンテンツ再生装置であって、
前記継続再生制御手段は、前記不揮発性記録媒体に格納されている継続再生用情報の基準時刻から現在時刻までの経過時間から、当該コンテンツ再生装置の再起動に要する時間を減算した時間を前記リセット前再生動作継続時間として推定することを特徴とするコンテンツ再生装置。
【請求項７】
請求項１、２、３、４、５または６記載のコンテンツ再生装置であって、
当該コンテンツ再生装置は、自動車に搭載される装置であることを特徴とするコンテンツ再生装置。
【発明の詳細な説明】
【技術分野】
【０００１】
本発明は、オーディオコンテンツやビデオコンテンツの再生を行うコンテンツ再生装置において、起動時に、当該コンテンツの再生を前回の稼働停止時に再生していた再生位置から再開する続き再生の技術に関するものである。
【背景技術】
【０００２】
オーディオコンテンツやビデオコンテンツの再生を行うコンテンツ再生装置において、起動時に、当該コンテンツの再生を前回の稼働停止時に再生していた再生位置から再開する続き再生の技術としては、光ディスクに記録されたコンテンツの再生を行うコンテンツ再生装置において、光ディスクの再生停止時に光ディスクの再生位置をレジューム情報として不揮発性メモリに保存し、次回の当該光ディスクの再生を、不揮発性メモリに保存されたレジューム情報が示す再生位置から行う技術が知られている（たとえば、特許文献１）。
【先行技術文献】
【特許文献】
【０００３】
【特許文献１】特開2002-025235号公報
【発明の概要】
【発明が解決しようとする課題】
【０００４】
自動車、特にハイブリッド自動車や電気自動車に搭載されるコンテンツ再生装置においては、自動のバッテリの一時的な電圧低下により、コンテンツ再生装置のリセットと再起動が発生することがある。
そして、バッテリの電圧低下は予め予測することができないため、このようなバッテリの電圧低下によるコンテンツ再生装置のリセットによるコンテンツの再生停止時には、レジューム情報を不揮発性メモリに保存することができない。
【０００５】
そこで、コンテンツの再生中、常時、定期的に不揮発性メモリにレジューム情報を保存することが考えられるが、このようにするとレジューム情報の保存のための処理の負荷が増大する。また、このようにすると、不揮発性メモリへの書き込み回数が増加し、短期間で不揮発性メモリの信頼性の低下を招くこととなる。たとえば、不揮発性メモリとして、NOR-Flashメモリを用いる場合には、NOR-Flashメモリの書き換え保証回数はおよそ１０万回であるので、１秒毎にレジューム情報の更新を行うと約28時間で書き換え保証回数を超過してしまう。
【０００６】
そこで、本発明は、コンテンツ再生動作の不測の停止時における続き再生を、続き再生のための情報の保存の頻度を抑制しつつ実現できるコンテンツ再生装置を提供することを課題とする。
【課題を解決するための手段】
【０００７】
前記課題達成のために、本発明は、記録装置に記録されたオーディオコンテンツまたはビデオコンテンツである記録コンテンツを再生するコンテンツ再生装置に、基準時刻と基準再生位置とを表す継続再生用情報を格納した不揮発性記録媒体と、前記記録コンテンツを再生するコンテンツ再生手段と、ユーザ操作を受け付け、受け付けたユーザ操作に応じて前記コンテンツ再生手段の前記記録コンテンツの再生動作を制御する再生動作制御手段と、前記コンテンツ再生手段が前記記録コンテンツの再生の開始を行うときに、前記不揮発性記録媒体に格納されている継続再生用情報を、前記基準時刻に現在時刻を設定し、前記基準再生位置に、開始した再生において再生開始位置となる再生位置を設定した新たな継続再生用情報で更新する更新手段と、当該コンテンツ再生装置の再起動後に、前記不揮発性記録媒体に格納されている継続再生用情報の基準時刻から現在時刻までの経過時間に基づいて、当該基準時刻から当該コンテンツ再生装置のリセットの発生までの間の時間をリセット前再生動作継続時間として推定し、前記不揮発性記録媒体に格納されている継続再生用情報の基準再生位置から前記リセット前再生動作継続時間分、再生時刻を進めた再生位置から、前記コンテンツ再生手段に前記記録コンテンツの再生を開始させる継続再生制御手段とを備えたものである。
【０００８】
ここで、このようなコンテンツ再生装置において、前記記録コンテンツの再生の開始には、たとえば、前記記録コンテンツの再生停止状態からの再生の開始と、前記記録コンテンツの再生の一時停止状態からの再生の再開と、再生位置をスキップした上での前記記録コンテンツの再生の開始などが該当する。
【０００９】
また、前記課題達成のために、本発明は、記録装置に記録されたオーディオコンテンツまたはビデオコンテンツである記録コンテンツを再生するコンテンツ再生装置に、基準時刻と基準再生位置と再生動作種別を表す継続再生用情報を格納した不揮発性記録媒体と、前記記録コンテンツを再生するコンテンツ再生手段と、ユーザ操作を受け付け、受け付けたユーザ操作に応じて前記コンテンツ再生手段の前記記録コンテンツの再生動作を制御する再生動作制御手段と、前記再生動作制御手段が前記記録コンテンツの再生動作を変更するときに、前記不揮発性記録媒体に格納されている継続再生用情報を、前記基準時刻に現在時刻を設定し、前記基準再生位置に前記変更した後の再生動作による再生において再生開始位置となる再生位置を設定し、前記再生動作種別に前記変更した後の再生動作の種別を設定した新たな継続再生用情報で更新する更新手段と、当該コンテンツ再生装置の再起動後に、前記不揮発性記録媒体に格納されている継続再生用情報の基準時刻から現在時刻までの経過時間に基づいて、当該基準時刻から当該コンテンツ再生装置のリセットの発生までの間の時間をリセット前再生動作継続時間として推定し、前記不揮発性記録媒体に格納されている継続再生用情報の基準再生位置から前記リセット前再生動作継続時間分、前記不揮発性記録媒体に格納されている継続再生用情報の再生動作種別が示す再生動作を行った場合に当該再生動作による再生の対象となる再生位置から、前記不揮発性記録媒体に格納されている継続再生用情報の再生動作種別が示す再生動作を、コンテンツ再生手段に開始させる継続再生制御手段とを備えたものである。
【００１０】
ここで、このようなコンテンツ再生装置において、前記再生動作の種別には、たとえば、前記記録コンテンツの再生を行う再生動作の種別と、前記記録コンテンツの早送り再生を行う再生動作の種別と、前記記録コンテンツの早戻し再生を行う再生動作の種別とが含まれる。
【００１１】
ここで、以上の各コンテンツ再生装置は、当該コンテンツ再生装置の電源の電圧降下を検出して、当該コンテンツ再生装置をリセットし再起動するリセット手段を備えるものであってもよい。
【００１２】
また、以上のコンテンツ再生装置は、前記継続再生制御手段において、前記不揮発性記録媒体に格納されている継続再生用情報の基準時刻から現在時刻までの経過時間から、当該コンテンツ再生装置の再起動に要する時間を減算した時間を前記リセット前再生動作継続時間として推定するように構成してもよい。
【００１３】
なお、以上のコンテンツ再生装置は、具体的には、たとえば、自動車に搭載される装置である。
以上のようなコンテンツ再生装置によれば、再生開始、再生一時停止、スキップ、早送り/早戻しなどの再生動作の変更が発生したときにのみ、不揮発性メモリの継続再生用情報を更新するだけで、不測のリセット発生によるコンテンツ再生装置の再起動後に、リセットにより再生が停止した再生位置より記録コンテンツの再生を再開することができる。
【発明の効果】
【００１４】
以上のように、本発明によれば、コンテンツ再生動作の不測の停止時における続き再生を、続き再生のための情報の保存の頻度を抑制しつつ実現できるコンテンツ再生装置を提供することができる。
【図面の簡単な説明】
【００１５】
【図１】本発明の実施形態に係るオーディオ再生装置の構成を示す図である。
【図２】本発明の実施形態に係るレジューム情報と継続再生用情報を示す図である。
【図３】本発明の実施形態に係るＣＤ継続再生用情報更新処理を示すフローチャートである。
【図４】本発明の実施形態に係るレジューム制御処理を示すフローチャートである。
【図５】本発明の実施形態に係る続き再生動作の例を示す図である。
【発明を実施するための形態】
【００１６】
以下、本発明の実施形態について説明する。
図１に、本実施形態に係るコンテンツ再生装置の構成を示す。
コンテンツ再生装置１は自動車に搭載される車載の装置であり、図示するように、コンテンツ再生装置１は、フラッシュメモリ１０１、入力装置１０２、表示装置１０３、制御部１０４、ＣＤディスク（ＣＤ-ＤＡ）を再生するディスクドライブ１０５、ラジオチューナ１０６、音声処理部１０７、スピーカ１０８、電源装置１０９、ＡＣＣ電源検出部１１０、リセット部１１１を備えている。
【００１７】
ここで、コンテンツ再生装置１には、カーバッテリ２１の電力を自動車各部に供給する自動車電源装置２から常時電源とＡＣＣ電源が供給されている。ここで、常時電源は、自動車電源装置２から常時供給され、ＡＣＣ電源は、通常、自動車のイグニッションキーまたはイグニッションスイッチをオフ位置以外の位置としているときにのみ供給される。
【００１８】
そして、コンテンツ再生装置１の電源装置１０９は、常時電源からコンテンツ再生装置１の駆動電源を生成しコンテンツ再生装置１の各部に供給する。また、コンテンツ再生装置１のＡＣＣ電源検出部１１０は、ＡＣＣ電源の供給の有無を検出する。
【００１９】
また、コンテンツ再生装置１の電源装置１０９は、各部への電源供給を停止しているときに、ＡＣＣ電源検出部１１０がＡＣＣ電源の供給開始を検出すると、各部への電源供給を開始する。
【００２０】
次に、リセット部１１１は、電源装置１０９が電源の供給を開始したときに、コンテンツ再生装置１の各部をリセットするパワーオンリセットや、電源装置１０９が供給している電源の電圧が所定の電圧より低下したときに、コンテンツ再生装置１の各部をリセットするブラウンアウトリセットを行う。
【００２１】
また、コンテンツ再生装置１には、時計装置３が接続されており、コンテンツ再生装置１の制御部１０４は時計装置３から現在の時刻を取得することができる。なお、時計装置３は自動車が備える時計装置３や、時刻算定機能を備えたＧＰＳ受信機などであってよい。
【００２２】
ここで、以上のようなコンテンツ再生装置１は、ＣＰＵ回路を用いて実現するようにしてもよく、この場合には、制御部１０４や音声処理部１０７はＣＰＵが所定のプログラムを実行することにより実現されるものとして構成してもよい。また、この場合には、リセット部１１１は、ＣＰＵに内蔵されているものであってもよい。
【００２３】
さて、次に、コンテンツ再生装置１のフラッシュメモリ１０１には、ＣＤレジューム情報とチューナレジューム情報とＣＤ継続出力用情報とチューナ継続出力用情報が格納される。
【００２４】
そして、図２ａ１に示すように、ＣＤレジューム情報には、レジューム要求フラグと再生モードと停止時再生位置情報が格納される。また、図２ａ２に示すように、チューナレジューム情報には、レジューム要求フラグと停止時受信チャネルが格納される。
【００２５】
また、図２ｂ１に示すように、ＣＤ継続出力用情報には、有効フラグと再生モードと再生位置情報と基準時刻が格納される。また、チューナ継続出力用情報には有効フラグと受信チャネルが格納される。
【００２６】
このような構成において、制御部１０４は、入力装置１０２と表示装置１０３を用いたユーザインタフェース上でユーザの各種操作を受け付けて各部を制御する。
すなわち、たとえば、制御部１０４は、ユーザの選択操作に応じて、ディスクドライブ１０５とラジオチューナ１０６のいずれかを音源装置に設定し、音源装置のオーディオデータの音声処理部１０７への出力を制御する。一方、音声処理部１０７は、音源装置から転送されたオーディオデータを必要に応じて復号し、オーディオデータの音声の周波数特性を調整するイコライズ処理などを施した上で、制御部１０４から設定された増幅率で増幅しスピーカ１０８に出力する。
【００２７】
また、制御部１０４は、音源装置にディスクドライブ１０５が設定されているときに、再生、停止、一時停止、順方向スキップ/逆方向スキップ、早送り/早戻しなどのユーザ操作に応じて、ＣＤの再生、再生の停止、再生の一時停止、再生位置の次トラック先頭位置/前トラック先頭位置への変更及び変更した再生位置からの再生再開、早送り再生/早戻し再生などのディスクドライブ１０５の動作を制御する。また、制御部１０４は、音源装置にラジオチューナ１０６が設定されているときに、ユーザ操作に応じて、ラジオチューナ１０６で受信する受信チャネル（放送局）の変更を制御する。
【００２８】
また、制御部１０４は、以下に示すレジューム情報格納処理を行う。
すなわち、制御部１０４は、レジューム情報格納処理において、コンテンツ再生装置１の稼働中、ＡＣＣ電源検出部１１０を介してＡＣＣ電源の供給停止を監視する。
そして、制御部１０４は、ディスクドライブ１０５が音源装置に設定されている期間中に、ＡＣＣ電源の供給停止が発生した場合には、ディスクドライブ１０５によるＣＤの再生動作を停止すると共に、フラッシュメモリ１０１のＣＤレジューム情報を更新した上で、電源装置１０９に各部への電源供給を停止させ、コンテンツ再生装置１を稼働停止状態とする。ここで、ＣＤレジューム情報の更新は、レジューム要求フラグにオンに設定し、再生モードにディスクドライブ１０５のＣＤの再生動作停止前の再生モードに設定し、停止時再生位置情報にディスクドライブ１０５のＣＤの再生動作停止前に最後に再生していたＣＤの再生位置を設定したＣＤレジューム情報で、フラッシュメモリ１０１のＣＤレジューム情報を書き換えることにより行う。なお、再生モードとしては、ディスクドライブ１０５の、再生、一時停止、早送り再生、早戻し再生の動作のモードを用いる。また、ＣＤの再生位置情報としては、オーディオトラック番号とオーディオトラック内の再生時間位置や、ＣＤのセクタ番号などを用いることができる。
【００２９】
また、制御部１０４は、ラジオチューナ１０６が音源装置に設定されている期間中に、ＡＣＣ電源の供給停止が発生した場合には、フラッシュメモリ１０１のチューナレジューム情報を更新した上で、電源装置１０９に各部への電源供給を停止させ、コンテンツ再生装置１を稼働停止状態とする。ここで、チューナレジューム情報の更新は、レジューム要求フラグにオンに設定し、受信チャネルにラジオチューナ１０６が受信中の放送局のチャネルを設定したチューナレジューム情報で、フラッシュメモリ１０１のチューナレジューム情報を書き換えることにより行う。
【００３０】
以上、制御部１０４が行うレジューム情報格納処理について説明した。
次に、制御部１０４は、音源装置にラジオチューナ１０６が設定されラジオチューナ１０６における放送の受信が開始したとき、及び、ラジオチューナ１０６が音源装置に設定されている期間中に、ラジオチューナ１０６の受信チャネルが変更されたときに、有効フラグをオンに設定し、受信チャネルにラジオチューナ１０６が受信中の放送局のチャネルを設定したチューナ継続出力用情報で、フラッシュメモリ１０１のチューナ継続出力用情報を書き換える。また、制御部１０４は、音源装置がラジオチューナ１０６から他の装置に変更されたときに、有効フラグをオフに設定したチューナ継続出力用情報で、フラッシュメモリ１０１のチューナ継続出力用情報を書き換える。
【００３１】
また、制御部１０４は、フラッシュメモリ１０１のＣＤ継続出力用情報の更新のために、ディスクドライブ１０５が音源装置に設定されると、以下に示すＣＤ継続出力用情報更新処理を開始する。
【００３２】
図３に、このＣＤ継続出力用情報更新処理の手順を示す。
図示するように、制御部１０４は、このＣＤ継続出力用情報更新処理において、ディスクドライブ１０５のＣＤの再生動作が開始されたならば（ステップ３０２）、時計装置３から現在時刻を取得し、有効フラグにオンに設定し、再生モードに開始された再生の再生モードを設定し、再生位置情報に開始した再生の始点となるＣＤの再生位置を設定し、基準時刻に時計装置３から取得した現在時刻を設定したＣＤレジューム情報で、フラッシュメモリ１０１のＣＤ継続出力用情報を更新する（ステップ３０４）。
【００３３】
そして、以降は、ユーザのディスクドライブ１０５のＣＤの再生開始、一時停止、早送り/早戻し開始、早送り/早戻し終了などの再生モードを変更する再生動作制御操作、または、順方向スキップ/逆方向スキップなどの再生位置をスキップする再生動作制御操作の発生（ステップ３０６）と、ユーザのディスクドライブ１０５のＣＤの再生を停止する操作の発生（ステップ３０８）と、音源装置のディスクドライブ１０５から他の装置への変更の発生（ステップ３１０）を監視する。
【００３４】
ただし、ステップ３０６は、ディスクドライブ１０５における再生モードの変更または再生位置のスキップの発生を監視するものとし、ステップ３０８はディスクドライブ１０５における再生の停止の発生を監視するものとしてもよい。
または、ステップ３０６は、停止状態からの再生の開始と、再生の一時停止状態からの再生の開始と、再生位置をスキップした上での再生の開始と、早送り再生の開始と、早戻り再生の開始とを、再生の開始として、ディスクドライブ１０５における再生の開始と、一時停止の発生とを監視するものとしてもよい。
そして、再生モードを変更または再生位置をスキップする再生動作制御操作が発生したならば（ステップ３０６）、時計装置３から現在時刻を取得し、新たなＣＤ継続出力用情報を作成し、フラッシュメモリ１０１のＣＤ継続出力用情報を、新たなＣＤ継続出力用情報で更新し（ステップ３０４）、ステップ３０６-３１０の監視に戻る。
【００３５】
ここで、発生した再生動作制御操作が再生、再生開始、一時停止、早送り/早戻し開始、早送り/早戻し終了などの再生モードを変更する再生動作制御操作である場合には、ステップ３０４で作成する新たなＣＤ継続出力用情報は、有効フラグにオンに設定し、再生モードに、再生動作制御操作によって変更された後の再生モードを設定し、再生位置情報には再生動作制御操作によって変更された後の再生モードによる再生（または一時停止）の始点となるＣＤの再生位置を設定し、基準時刻に時計装置３から取得した現在時刻を設定したＣＤ継続出力用情報とする。なお、再生位置情報に設定する再生位置は、再生動作制御操作が再生開始であれば再生を開始する位置、再生動作制御操作が一時停止であれば一時停止した位置、再生動作制御操作が早送り/早戻し開始であれば早送り/早戻し再生を開始する位置、再生動作制御操作が早送り/早戻し終了であれば、早送り/早戻し再生を終了後に通常の再生を開始する位置となる。
【００３６】
また、発生した再生動作制御操作が順方向スキップ/逆方向スキップなどの再生位置をスキップする再生動作制御操作である場合には、ステップ３０４で作成する新たなＣＤ継続出力用情報は、有効フラグにオンに設定し、再生モードに「再生」を設定し、再生位置情報には再生動作制御操作によって変更された後に再生する最初の再生位置（再生位置のスキップ先の位置）を設定し、基準時刻に時計装置３から取得した現在時刻を設定したＣＤ継続出力用情報とする。
なお、ステップ３０６を、停止状態からの再生の開始と、再生の一時停止状態からの再生の開始と、再生位置をスキップした上での再生の開始と、早送り再生の開始と、早戻り再生の開始とを、再生の開始として、ディスクドライブ１０５における再生の開始と、一時停止とを監視するものとした場合には、ステップ３０４で作成する新たなＣＤ継続出力用情報は、再生の開始が発生した場合には、有効フラグにオンに設定し、再生モードに開始された再生の再生モードを設定し、再生位置情報に開始された再生の始点となるＣＤの再生位置を設定し、基準時刻に時計装置３から取得した現在時刻を設定したＣＤ継続出力用情報とし、一時停止が発生した場合には、有効フラグにオンに設定し、再生モードに一時停止を設定し、一時停止したＣＤの再生位置を設定し、基準時刻に時計装置３から取得した現在時刻を設定したＣＤ継続出力用情報とする。
【００３７】
次に、ユーザのディスクドライブ１０５のＣＤの再生を停止する操作が発生した場合には（ステップ３０８）、フラッシュメモリ１０１のＣＤ継続出力用情報を、レジューム要求フラグにオフに設定したＣＤレジューム情報で更新し（ステップ３１２）、ステップ３０２に戻る。
【００３８】
また、音源装置のディスクドライブ１０５から他の装置への変更が発生した場合には（ステップ３１０）、フラッシュメモリ１０１のＣＤ継続出力用情報を、レジューム要求フラグにオフに設定したＣＤレジューム情報で更新し（ステップ３１４）、ＣＤ継続出力用情報更新処理を終了する。
【００３９】
以上、制御部１０４が行うＣＤ継続出力用情報更新処理について説明した。
次に、制御部１０４が行うレジューム制御処理について説明する。
ここで、このレジューム制御処理は、リセット部１１１によるパワーオンリセット、ブラウンアウトリセット後に、コンテンツ再生装置１が起動または再起動した後に、制御部１０４によって開始される。
【００４０】
図４に、このレジューム制御処理の手順を示す。
図示するようにレジューム制御処理において、制御部１０４は、フラッシュメモリ１０１のチューナレジューム情報のレジューム要求フラグがオンであるかどうかを調べ（ステップ４０２）、オンであればラジオチューナ１０６を音源装置に設定して、ラジオチューナ１０６の、チューナレジューム情報の受信チャネルに登録されているチャネルの受信開始を制御し（ステップ４０４）、フラッシュメモリ１０１のチューナレジューム情報をレジューム要求フラグをオフに設定したチューナレジューム情報で更新し（ステップ４０６）、レジューム制御処理を終了する。
【００４１】
一方、フラッシュメモリ１０１のチューナレジューム情報のレジューム要求フラグがオンでなければ（ステップ４０２）、フラッシュメモリ１０１のＣＤレジューム情報のレジューム要求フラグがオンであるかどうかを調べ（ステップ４０８）、オンであればディスクドライブ１０５を音源装置に設定して、ＣＤレジューム情報の再生モードの再生動作を、再生位置情報が示す再生位置を開始位置として行うようディスクドライブ１０５を制御し（ステップ４１０）、フラッシュメモリ１０１のＣＤレジューム情報を、レジューム要求フラグをオフに設定したＣＤレジューム情報で更新し（ステップ４１２）、レジューム制御処理を終了する。
【００４２】
一方、フラッシュメモリ１０１のＣＤレジューム情報のレジューム要求フラグもオンでなければ（ステップ４０８）、フラッシュメモリ１０１のチューナ継続出力用情報の有効フラグがオンであるかどうかを調べ（ステップ４１４）、オンであれば、ラジオチューナ１０６を音源装置に設定して、ラジオチューナ１０６の、チューナ継続出力用情報の受信チャネルに登録されているチャネルの受信開始を制御し（ステップ４１６）、レジューム制御処理を終了する。
【００４３】
一方、フラッシュメモリ１０１のチューナ継続出力用情報の有効フラグもオンでなければ（ステップ４１４）、フラッシュメモリ１０１のＣＤ継続出力用情報の有効フラグがオンであるかどうかを調べ（ステップ４１８）、オンでなければ、レジューム制御処理を終了する。
【００４４】
一方、フラッシュメモリ１０１のＣＤ継続出力用情報の有効フラグがオンである場合には、時計装置３から現在時刻を取得し、フラッシュメモリ１０１のＣＤ継続出力用情報の基準時刻から、前回のリセット発生の時刻までの経過時間を算出する（ステップ４２０）。
【００４５】
ここで、この経過時間は、
経過時間=（現在時刻-基準時刻-コンテンツ再生装置１の再起動に要する時間-所定のマージン）
として算出する
そして、次に、ディスクドライブ１０５を音源装置に設定して、ＣＤ継続出力用情報の再生モードの再生動作をステップ４２２で算出した経過時間継続した場合のＣＤの再生位置と一致する再生位置を開始位置として、ＣＤ継続出力用情報の再生モードの再生動作を開始するようディスクドライブ１０５を制御する（ステップ４２２）。
【００４６】
すなわち、たとえば、ＣＤ継続出力用情報の再生モードが「再生」であり、ＣＤ継続出力用情報の再生位置がＣＤのトラックｎの再生時間位置がｍの位置であり、算出した経過時間がｋであれば、トラックｎのｍ+ｋの再生時間位置から、ＣＤの再生が開始されるようにディスクドライブ１０５を制御する。また、たとえば、ＣＤ継続出力用情報の再生モードが「早送り再生」であり、ＣＤ継続出力用情報の再生位置がＣＤのトラックｎの再生時間位置がｍの位置であり、算出した経過時間がｋであれば、早送り速度をａ倍速として、トラックｎの再生時間位置ｍから、時間ｋ早送りを行った場合の再生位置ｍ+ａ×ｋから、ＣＤの早送り再生が開始されるようにディスクドライブ１０５を制御する。
【００４７】
そして、レジューム制御処理を終了する。
以上、制御部１０４が行うレジューム制御処理について説明した。
以下、以上のようなレジューム制御処理によるコンテンツ再生装置１の動作例を示す。
まず、図５ａに第１の動作例を示す。
図示するように、音源装置としてディスクドライブ１０５が設定されている状態でＣＤの再生が行われている期間中に、ユーザのイグニッションキー等の操作によりＡＣＣ電源の供給が停止すると、ＣＤの再生が停止され、レジューム要求フラグをオンに設定したＣＤレジューム情報がフラッシュメモリ１０１に格納された後、コンテンツ再生装置１の電源がオフとなる。そして、その後、ユーザのイグニッションキー等の操作によりＡＣＣ電源の供給が開始されると、コンテンツ再生装置１が起動する。フラッシュメモリ１０１のＣＤレジューム情報がレジューム要求フラグがオンに設定されていることより、ＣＤレジューム情報に基づいて、ＣＤの再生ディスクドライブが音源装置に設定され、ＡＣＣ電源の供給の停止により再生を停止した再生位置よりＣＤの再生が再開される。また、フラッシュメモリ１０１のＣＤレジューム情報が、レジューム要求フラグがオフに設定されたＣＤレジューム情報に更新される。
【００４８】
次に、図５ｂに第２の動作例を示す。
図示するように、音源装置としてディスクドライブ１０５が設定されている状態でＣＤのトラック３の再生が行われている期間中に、ユーザがトラック４への順方向スキップ操作を行うと、有効フラグにオンが設定され、再生モードに「再生」が設定され、再生位置情報にトラック４の先頭位置が設定され、基準時刻として現在時刻Ｔ１が設定されたＣＤ継続出力用情報がフラッシュメモリ１０１に格納される。
【００４９】
そして、その後、電源の電圧が低下しリセットが発生し、コンテンツ再生装置１が再起動すると、時計装置３から現在時刻Ｔ２を取得し、フラッシュメモリ１０１のＣＤ継続出力用情報の基準時刻Ｔ１からリセット発生までの経過時間ＤＰが算出される。
【００５０】
ここで、この経過時間ＤＰは、現在時刻Ｔ２までの基準時刻Ｔ１からの時間をＤ１、コンテンツ再生装置１の再起動に要する時間をＤ２、所定のマージンをＭｇとして、
ＤＰ=Ｄ１-Ｄ２-Ｍｇ
によって算出する。なお、コンテンツ再生装置１の再起動に要する時間Ｄ２は、予め実験的に実測した時間を制御部１０４に設定しておく。また、マージンＭｇは１秒程度の時間とする。ただし、マージンＭｇは０としてもよい。
【００５１】
そして、フラッシュメモリ１０１のＣＤ継続出力用情報の再生モード「再生」の再生動作を、フラッシュメモリ１０１のＣＤ継続出力用情報の再生位置情報が示す再生位置を始点として、算出した経過時間継続した場合の再生位置（図５ｂの場合は、トラック４の再生時刻がD1-D2-Ｍｇの位置）から、再生モード「再生」による再生動作、すなわち、再生が開始される。
【００５２】
なお、図５ｂに示した場合について、フラッシュメモリ１０１のＣＤ継続出力用情報の再生位置情報が示す再生位置を始点として、算出した経過時間、ＣＤ継続出力用情報の再生モードの再生動作を継続した場合の再生位置Ｐが、ＣＤ継続出力用情報の再生位置情報が示すトラックの最終の再生位置を超過している場合には、再生位置Ｐは、そのトラックに後続するいずれかのトラックの、ＣＤ全体内の再生位置が算出した経過時間分、フラッシュメモリ１０１のＣＤ継続出力用情報の再生位置情報が示す再生位置より進んだ位置となる位置となる。すなわち、たとえば、フラッシュメモリ１０１のＣＤ継続出力用情報の再生位置情報がトラックＮの再生時刻Ｍを示しており、算出した経過時間、ＣＤ継続出力用情報の再生モードの再生動作を継続した場合の再生位置の再生時刻が、トラックＮの最終の再生時刻をＬ超えており、トラックＮの次のトラックＮ+１の再生時間がＬ超であれば、再生位置Ｐは、次のトラックＮ+１の再生時刻Ｌの位置となる。
【００５３】
以上、本発明の実施形態について説明した。
以上のように、本実施形態によれば、ＣＤの再生開始や一時停止や早送り再生/早戻し再生や順方向スキップ/逆方向スキップなど、ＣＤの再生動作の変更や再生位置のスキップが発生したときにのみ、フラッシュメモリ１０１のＣＤ継続出力情報を更新するだけで、不測のリセット発生時に、リセットにより再生が停止した再生位置よりＣＤの再生を再開する続き再生を行うことができる。
【００５４】
ところで、以上で示したＣＤのオーディオトラックのＣＤ継続出力用情報を用いたリセット発生時の続き再生の技術は、DVDやBlu-ray（登録商標）ディスク等の任意の記録ディスクに記憶されたオーディオコンテンツやビデオコンテンツの再生や、その他の任意の記憶装置に記憶されたオーディオコンテンツやビデオコンテンツのプレイリストに従った再生等に同様に適用することができる。
【符号の説明】
【００５５】
１…コンテンツ再生装置、２…自動車電源装置、３…時計装置、２１…カーバッテリ、１０１…フラッシュメモリ、１０２…入力装置、１０３…表示装置、１０４…制御部、１０５…ディスクドライブ、１０６…ラジオチューナ、１０７…音声処理部、１０８…スピーカ、１０９…電源装置、１１０…ＡＣＣ電源検出部、１１１…リセット部。
【図１】
2016225005.tif 000003
【図２】
2016225005.tif 000004
【図３】
2016225005.tif 000005
【図４】
2016225005.tif 000006
【図５】
2016225005.tif 000007